(57)【要約】【課題】  機体からダイブロックを取り外したりすることなく、ノックアウトピンをダイから直接取り出して交換することができるようにする。【解決手段】  ダイ２内に挿通されて後端を押出ロッドピン３の先端に当接せしめたノックアウトピン１を後端が開口した中空円筒型の金型台４に前後摺動可能に嵌入保持してなる鍛造機におけるノックアウト装置において、ノックアウトピン１はその長さ方向中間部１ｃが前、後端部１ａよりも小径に形成されている一方、金型台４の貫通孔４ｂに出退可能でノックアウトピン１の中間部１ｃと係合してノックアウトピン１の摺動範囲を一定量に規制するロック手段５と、ロック手段５の解除時、ノックアウトピン１をダイ２から排出する流体供給装置６とを設けた。【選択図】図１
0003129790.tif 000002
【実用新案登録請求の範囲】
【請求項１】
ダイ内に挿通されて後端を押出ロッドピンの先端に当接せしめたノックアウトピンを後端が開口した中空状の金型台に前後摺動可能に嵌入保持してなる鍛造機におけるノックアウト装置において、上記ノックアウトピンはその長さ方向中間部が前、後端部よりも小径に形成されている一方、金型台の貫通孔に出退可能でノックアウトピンの中間部と係合してノックアウトピンの摺動範囲を一定範囲に規制するロック手段と、ロック手段の解除時、ノックアウトピンをダイから排出する排出手段とを備えていることを特徴とする鍛造機におけるノックアウト装置。
【請求項２】
ノックアウトピンの後端部が前端部と同径又は小径に形成されている一方、ロック手段がノックアウトピンの中間部と係合してノックアウトピンの摺動範囲を一定範囲に規制するＵ字状のロック体とロック体を金型台の貫通孔に出退移動させる移動装置とを備えていることを特徴とする請求項１に記載の鍛造機におけるノックアウト装置。
【請求項３】
排出手段が押し出しロッドの先端口内からノックアウトピンに流体を送り込むことにより、ロック手段の解除時、ノックアウトピンをダイから排出する流体供給装置を備えていることを特徴とする請求項２に記載の鍛造機におけるノックアウト装置。
【請求項４】
ノックアウトピンをダイに挿入可能な姿勢で保持するチャッカーと、ロック手段の解除状態でチャッカーに保持されたノックアウトピンをダイから金型台内に挿入するパンチとを備え、パンチによるノックアウトピンの金型台内への挿入後ロック手段によりノックアウトピンをロック規制するようにしたことを特徴とする請求項３に記載の鍛造機におけるノックアウト装置。
【考案の詳細な説明】
【技術分野】
【０００１】    本考案はダイ内に挿通されて後端を押出ロッドピンの先端に当接せしめたノックアウトピンを後端が開口した中空状の金型台に前後摺動可能に嵌入保持してなる鍛造機におけるノックアウト装置に関する。
【背景技術】
【０００２】  一般に、ノックアウトピンの先端が破損したり又は劣化したり或いはピッチング現象が発生するような場合にノックアウトピンを交換している。その場合、ダイと金型台を保持するダイブロックを機体より取り出し、ダイブロック内の金型台後部からノックアウトピンを抜き出して新たなノックアウトピンに交換した上で、ダイブロックを機体に再びセットすることにより行っている。
【考案の開示】
【考案が解決しようとする課題】
【０００３】  ところが、上記したノックアウト装置によれば、上記したようにダイと金型台を保持するダイブロックを機体より取り出し、金型台後部からノックアウトピンを抜き出し、新たなノックアウトピンに交換した上で、その交換し終えたダイブロックを機体に再びセットしなければならないことから、その交換作業が非常に面倒で時間と手間を要する問題があった。【０００４】  そこで、本考案は、機体からダイブロックをわざわざ取り外したりすることなく、ノックアウトピンをダイから直接取り出して交換することができる鍛造機におけるノックアウト装置の提供を課題とする。
【課題を解決するための手段】
【０００５】  上記した課題を解決するために、本願の請求項１に記載の考案は、ダイ内に挿通されて後端を押出ロッドピンの先端に当接せしめたノックアウトピンを後端が開口した中空状の金型台に前後摺動可能に嵌入保持してなる鍛造機におけるノックアウト装置において、上記ノックアウトピンはその長さ方向中間部が前、後端部よりも小径に形成されている一方、金型台の貫通孔に出退可能でノックアウトピンの中間部と係合してノックアウトピンの摺動範囲を一定範囲に規制するロック手段と、ロック手段の解除時、ノックアウトピンをダイから排出する排出手段とを備えていることを特徴とする。【０００６】  本願の請求項２に記載の考案は、上記した請求項１におけるノックアウトピンの後端部が前端部と同径又は小径に形成されている一方、ロック手段がノックアウトピンの中間部と係合してノックアウトピンの摺動範囲を一定範囲に規制するＵ字状のロック体と、ロック体を金型台の貫通孔に出退移動させる移動装置とを備えていることを特徴とする。【０００７】  本願の請求項３に記載の考案は、上記した請求項２における排出手段が押し出しロッドの先端口内からノックアウトピンに流体を送り込むことにより、ロック手段の解除時、ノックアウトピンをダイから排出する流体供給装置を備えていることを特徴とする。【０００８】  本願の請求項４に記載の考案は、上記した請求項３の構成に加えて  新たなノックアウトピンをダイに挿入可能な姿勢で保持するチャッカーと、ロック手段の解除状態でチャッカーに保持されたノックアウトピンをダイから金型台内に挿入するパンチとを備え、パンチによるノックアウトピンの金型台内への挿入後ロック手段によりノックアウトピンをロック規制するようにしたことを特徴とする。
【考案の効果】
【０００９】  本考案によれば、上記ノックアウトピンはその長さ方向中間部が前、後端部よりも小径に形成されている一方、金型台の貫通孔に出退可能でノックアウトピンの中間部と係合してノックアウトピンの摺動範囲をロック規制するロック手段と、ロック手段の解除時、ノックアウトピンを後方から押し出してダイから排出する排出手段とを備えているから、ノックアウトピンが破損したり又は劣化したり或いはピッチング現象が発生するような場合、ロック手段を解除し、排出手段でノックアウトピンをダイから排出し、新たなノックアウトピンをダイから挿入してロック手段をノックアウトピンの中間部に係合させてノックアウトピンの摺動範囲をロック規制することにより簡単容易にかつ迅速に行うことができる。【００１０】  また、ノックアウトピンの中間部と係合してノックアウトピンの摺動範囲をロック規制するＵ字状のロック体と、ロック体を金型台の貫通孔に出退移動させる移動装置とからなるロック手段を用いれば、ロック時にはノックアウトピンの摺動を所定範囲に正確に規制することができながら、ロック解除時にはノックアウトピンのロック解除を確実に行うことができるので好ましい。【００１１】  また、排出手段として、ロック手段の解除時、押し出しロッドの先端口内からノックアウトピンに流体を送り込むことによりノックアウトピンをダイから排出する流体供給装置を用いれば、流体供給装置を作動して押し出しロッドの先端口内からノックアウトピンに流体を送り込むことにより、流体の流体圧でノックアウトピンをダイからスムーズに排出することができるので好ましい。【００１２】  さらに、新たなノックアウトピンをダイに挿入可能な姿勢で保持するチャッカーと、ロック手段の解除状態でチャッカーに保持されたノックアウトピンをダイから金型台内に挿入するパンチとを備えることにより、チャッカーにてダイに挿入可能な姿勢で保持された新たなノックアウトピンをダイの前方に移送し、ロック手段を解除した状態でパンチを前進させることによりチャッカーに保持されたノックアウトピンをダイから金型台内まで挿入することができ、。パンチによるノックアウトピンの金型台内への挿入後、ロック手段のロック体を中空円筒体の中間部に嵌入させ、ノックアウトピンの摺動を範囲をロック規制することができる。
【考案を実施するための最良の形態】
【００１３】  以下、本考案の実施の形態を図面に基づいて説明する。
図１〜図３は、本考案に係る鍛造機におけるノックアウト装置を示すもので、１はノックアウトピンで、該ピン１はダイ２内に挿通されて後端が押出ロッドピン３の先端に当接すると共に、押出ロッドピン３の移動で前後動できるように後部が中空４ａとされた中空状の金型台４に摺動自由に嵌入支持されている。また、押出ロッドピン３の後端部にはノッアウト機構（図示せず）が設けられ、圧造後に押出ロッドピン３と共にノックアウトピン１をダイ側に押し出すようになされている。【００１４】  上記ノックアウトピン１はその後端部１ａが前端部１ｂと同径又は小径に形成されていると共に、中間部１ｃが後端部よりも小径に形成されている。また、後端面から前部側に延び、かつ前端部側方に開口する通孔１ｄが形成されている。なお、ノックアウトピン１の後端部１ａを前端部１ｂよりも小径にするのは、ノックアウトピン１のダイ側への摺動をスムーズに行うためである。【００１５】  一方、金型台４は中空部４ａとそれに続く貫通孔４ｂとを有し、その貫通孔４ｂに一側から出退可能でノックアウトピン１の中間部１ｃと係合してノックアウトピン１の摺動範囲を一定範囲に規制するロック手段５と、ロック手段５の解除時、ノックアウトピン１をダイ２から排出する排出手段６とを備えている。【００１６】  ロック手段５はノックアウトピン１の中間部１ｃと係合してノックアウトピン１の摺動範囲をロック規制するＵ字状のロック体５ａと、ロック体５ａを金型台４の貫通孔４ｂに出退移動させるシリンダなどの移動装置（以下シリンダと称す）５ｂとを備えている。【００１７】  排出手段６としては、押出ロッドピン３にその先端口よりノックアウトピン１の通孔１ｄに流体を送り込むための供給孔３ａが形成される一方、供給孔３ａに水やエアーなどの加圧流体を送り込むポンプなどの流体供給装置を備えている。そして、ロック手段５の解除時、押出ロッドピン３の先端口よりノックアウトピン１の通孔１ｄに例えば加圧水などの加圧流体を送り込んで加圧流体による推進力によりノックアウトピン１をダイ２から外部へ排出するようになされている。【００１８】  ダイ２の前面側には、ノックアウトピン１をダイ２に挿入可能な姿勢で保持するチャッカー７と、ロック手段５の解除状態でチャッカー７に保持されたノックアウトピン１をダイ２から金型台３内に挿入するパンチ８とを備え、パンチ８によるノックアウトピン１の金型台３内への挿入後ロック手段５によりノックアウトピン１をロック規制するようにした。【００１９】  図１において、符号１０はパンチ８を保持し、かつダイ２に対し前後動するラム、１１はダイブロック、１２は機体である。【００２０】  次に以上のように構成した本考案の鍛造機におけるノックアウト装置の作用について説明する。
パンチ８が前進してダイ２に据え込まれた材料を圧造する際には、ノックアウトピン１は後退した位置（図１）にあって、ダイ２の底部を構成するように材料を支持する。この圧造時にノックアウトピン１は、圧縮荷重を受けるが押出ロッドピン３によりその荷重は受け止められる。また、圧造後にはノッアウト機構（図示せず）による押出ロッドピン３の前方への押し出し移動に伴って図４に示すようにノックアウトピン１がロック体５ａが許す一定範囲で前進し、成形素材Ｘをダイ２から外部へ押し出すことになる。その際、ノックアウトピン１の通孔１ｄに加圧水などの加圧流体を送り込むことによりダイ２の冷却や清掃を行うことができる。【００２１】  そして、ノックアウトピン１が破損したり又は劣化したり或いはピッチング現象が発生して、ノックアウトピン１を交換する場合には、まず、図５に示すようにロック手段５のロック体５ａをシリンダ５ｂによりロック解除位置に移動させる。次に、そのロック解除状態のもとで、流体供給装置６を作動して押出ロッドピン３の供給孔３ａの先端口よりノックアウトピン１の通孔１ｄに加圧流体を送り込む。これにより、ノックアウトピン１を加圧流体の推進力でダイ２から外部へ排出し、ノックアウトピン１を取り出すことができる。【００２２】  その後、図６に示すようにチャッカー７にてダイ２に挿入可能な姿勢で保持された新たなノックアウトピン１をダイ２の前方に移送する。そして、ロック手段５を解除した状態でパンチ８の前進によりチャッカー７に保持されたノックアウトピン１をダイ２から金型台４内まで挿入する。そして、パンチ８によるノックアウトピン１の金型台４内への挿入後、ロック手段５のシリンダ５ｂの伸長によりロック体５ａをノックアウトピン１の中間部１ｃに嵌入させ、ノックアウトピン１の摺動を範囲を一定範囲に規制することができる。これにより、ノックアウトピン１の交換が終了することになる。【００２３】  以上のようにノックアウトピン１が破損したり又は劣化したり或いはピッチング現象が発生するような場合、ロック手段５を解除し、排出手段６でノックアウトピン１をダイ２から排出する一方、新たなノックアウトピン１をチャッカー７で保持しパンチ８にてダイ２から挿入し、ロック手段５をノックアウトピン１の中間部に係合させてノックアウトピン１の摺動範囲をロック規制することにより簡単容易にかつ迅速に行うことができる。したがって、機体１２からダイブロック１１をわざわざ取り外したりすることなく、ノックアウトピン１をダイ２から直接取り出して交換することができる。【００２４】  また、以上の交換動作は、シーケンサーとの組合せにより上記した動作が一連の動作で行われることになる。【００２５】  さらに、通常は流体供給装置６からの加圧流体をノックアウトピン１側に送り込むことにより、ノックアウトピン１、ダイ２、押出ロッドピン３の冷却装置としても兼用することができる。
【図面の簡単な説明】
【００２６】
【図１】  本考案に係るノックアウト装置の一部省横断平面図である。
【図２】  同要部の一部省縦断平面図である。
【図３】  図２のＡ−Ａ矢視図である。
【図４】  ノックアウトピンによる素材の押出状態を示す説明図である。
【図５】  ノックアウトピンの取出状態を示す説明図である。
【図６】  新たなノックアウトピンの挿入状態を示す説明図である。
【符号の説明】
【００２７】１          ノックアウトピン
１ａ        後端部
１ｂ        前端部
１ｃ        中間部
２          ダイ
３          押出ロッドピン
４          金型台
５          ロック手段
６          流体供給装置（排出手段）
７          チャッカー
８          パンチ
【図１】
0003129790.tif 000003
【図２】
0003129790.tif 000004
【図３】
0003129790.tif 000005
【図４】
0003129790.tif 000006
【図５】
0003129790.tif 000007
【図６】
0003129790.tif 000008